(57)【要約】    【課題】  容易に使用者の好みに応じた状態に操作することが可能なシート装置を提供する。    【解決手段】  複数のモータＭ１等と、モータＭ１等のそれぞれに対応して駆動されるヘッドレスト装置４０ａ等と、モータＭ１等の作動を制御するスイッチ５とを備えたシート装置において、スイッチ５の移動量に基づいて作動させるモータＭ１等を選択し、かつスイッチ５の移動方向に基づいて選択されたモータＭ１等の回転方向を決定する。【選択図】  図２
2005313696.tif 000002
【特許請求の範囲】
【請求項１】
複数のモータと、該モータのそれぞれに対応して駆動される可動装置と、前記モータの作動を制御するスイッチとを備えたシート装置において、
前記スイッチの移動量に基づいて作動させる前記モータを選択し、かつ前記スイッチの移動方向に基づいて選択された前記モータの回転方向を決定することを特徴とするシート装置。
【請求項２】
前記スイッチは複数段階に前記移動量を調整可能であることを特徴とする請求項１記載のシート装置。
【請求項３】
前記モータはパルス幅変調方式により制御されることを特徴とする請求項１又は２記載のシート装置。
【請求項４】
前記スイッチの前記移動量に基づいて作動される前記モータを選択する際、非選択の前記モータの作動をパルス幅変調方式によって制御することを特徴とする請求項１乃至３記載のシート装置。
【発明の詳細な説明】
【技術分野】
【０００１】
本発明は可動装置を備えたシート装置に関する。
【背景技術】
【０００２】
従来のシート装置としては、特許文献１及び２に記載されたものが知られている。それらのシート装置では、複数のスイッチを、選択したり、押したり、引いたり、回転させたり等の複数の操作を行うことによって、シートに設けられたモータを操作し、モータによってランバーサポート装置等の可動装置の可動が行われている。このため、その可動装置の可動によって、シート装置を使用者の好みに応じた状態にすることができる。
【特許文献１】特許第３３４０８８３号公報
【特許文献２】欧州特許第１１７８８９７号明細書
【発明の開示】
【発明が解決しようとする課題】
【０００３】
しかし、上記記載のシート装置では、使用者の好みに応じた状態になるようにするため、可動装置の数が増えつつある。このため、可動装置の可動に必要なモータの数も増えつつあり、モータを可動させるためのスイッチも増えつつある。このように、可動装置が増え、可動装置を可動するためのモータが増え、ひいては、スイッチが増えることによって、操作が複雑化しており、使用者が操作し難くなっている。
【０００４】
本発明は、上記従来の実情に鑑みてなされたものであって、容易に使用者の好みに応じた状態に操作することが可能なシート装置を提供することを解決すべき課題としている。
【課題を解決するための手段】
【０００５】
発明者らは上記課題を解決するため鋭意研究した結果、スイッチの数を可能な限り低減し、低減したスイッチで増大するモータの作動を可能にして、増大する可動装置を駆動できるようにすることで本発明を完成するに至った。
【０００６】
すなわち、上記課題を解決するために本発明において講じた技術的手段は、請求項１に記載の様に、複数のモータと、該モータのそれぞれに対応して駆動される可動装置と、前記モータの作動を制御するスイッチとを備えたシート装置において、前記スイッチの移動量に基づいて作動させる前記モータを選択し、かつ前記スイッチの移動方向に基づいて選択された前記モータの回転方向を決定することを特徴としている。
【０００７】
また、本発明において講じた技術的手段は、請求項２に記載の様に、スイッチは複数段階に移動量を調整可能であることを特徴としている。
【０００８】
さらに、本発明において講じた技術的手段は、請求項３に記載の様に、モータはパルス幅変調方式により制御されることを特徴としている。
【０００９】
また、本発明において講じた技術的手段は、請求項４に記載の様に、スイッチの移動量に基づいて作動されるモータを選択する際、非選択のモータの作動をパルス幅変調方式によって制御することを特徴としている。
【発明の効果】
【００１０】
請求項１に記載の発明によれば、スイッチの移動量に基づいて作動されるモータを選択している。このため、少ない数のスイッチであっても、スイッチの移動量を変化させれば、作動可能なモータの数を増やすことができる。また、スイッチの移動方向に基づいて選択されたモータの回転方向を決定している。このため、少ない数のスイッチであっても、移動方向を変化させれば、モータの回転方向を変えることができる。このような選択によって作動するモータが可動装置を駆動させることにより、シート装置を使用者の好みの状態にすることができる。つまり、少ない数のスイッチで、シート装置の可動装置を駆動させることがでるため、操作が複雑化することなく、使用者が操作し易くなる。
【００１１】
したがって、本発明のシート装置であれば、容易に使用者の好みに応じた状態に操作することができる。
【００１２】
また、請求項２に記載の発明によれば、スイッチの移動量を複数段階に調整可能であるため、多数のモータの作動及び回転を選択することができる。このため、このようにして選択肢を増やしてモータを作動させることにより、モータに基づいて駆動される可動装置を増やすことができる。
【００１３】
さらに、請求項３に記載の発明によれば、モータがパルス幅変調方式により制御されるため、モータをスロースタートさせることができる。このため、複数段階の移動途中におけるスイッチに基づいて、モータの瞬間的な作動や停止を抑制することができる。こうして、モータを瞬時に駆動させたり停止させたりすることを抑制すれば、可動装置を瞬時に可動させたり停止させたりすることによる故障の原因を低減することができる。
【００１４】
また、請求項４に記載の発明によれば、スイッチが複数段階で移動する際、スイッチの移動途中やその移動方向の転換において、モータの作動がパルス幅変調によって制御されるため、非選択のモータの作動をスロースタートさせるように抑制することができる。つまり、複数段階の位置にスイッチを移動させたり、スイッチの移動方向を転換させたりする際、スイッチの移動途中の各段階において、非選択のモータの瞬間的な作動を防止することができる。このため、瞬時にモータを作動させたり停止させたりする際に起きる振動が発生し難くなるため、使用者に与える不快感を低減することができる。
【発明を実施するための最良の形態】
【００１５】
以下、本発明を実施するための最良の形態について、実施形態を参照しつつ図面を基に説明する。
【００１６】
（実施形態）
実施形態のシート装置は、図１に示すように、上端に位置するヘッドレスト部材１０と、ヘッドレスト部材１０の下に位置するシートバック部材２０と、そして、シートバック部２０の下端から前方に延在するシートクッション部材３０とを備えている。
【００１７】
シートバック部材２０には、ヘッドレスト部材１０を前後に傾斜したり、ヘッドレスト部材１０を昇降したりすることが可能なヘッドレスト装置４０ａ（図２に示す）が内蔵されている。ヘッドレスト装置４０ａには、ヘッドレスト部材１０を前後に傾斜するためのモータＭ１（図２に示す）、ヘッドレスト部材１０を昇降するためのモータＭ２（図２に示す）が備えられている。
【００１８】
また、シートバック部材２０には、上端側の中折れを可能にする中折れ装置４０ｂ（図２に示す）も内蔵されている。中折れ装置４０ｂには、シートバック部材２０の上端側の中折れを可能にするためのモータＭ３（図２に示す）が備えられている。
【００１９】
さらに、シートバック部材２０には、中央から下端を前後方向及び上下方向に移動可能なランバーポート装置４０ｃ（図２に示す）、両側端を幅方向に伸縮可能なサイドサポート装置４０ｄ（図２に示す）も内蔵されている。ランバーサポート装置４０ｃには、シートバック部材２０の中央から下端を前後方向に移動するためのモータＭ４（図２に示す）、その中央から下端を上下方向に移動するためのモータＭ５（図２に示す）が備えられている。また、サイドサポート装置４０ｄには、シートバック部材２０の両端を幅方向に伸縮させるためのモータＭ６（図２に示す）が備えられている。
【００２０】
シートバック部材２０はリクライニング装置４０ｅ（図２に示す）を介してシートクッション部材３０に連結されており、リクライニング装置４０ｅはシートバック部材２０の全体を前後に傾動できるようになっている。リクライニング装置４０ｅには、シートバック部材２０を前後に傾動するためのモータＭ７（図２に示す）が備えられている。
【００２１】
シートクッション部材３０は、表面に位置する座面３０ａに対して、昇降可能なリフター装置４０ｆ（図２に示す）、前端を昇降可能なチルト装置４０ｇ（図２に示す）、前後方向に伸縮可能なクッション長伸縮装置４０ｈ（図２に示す）が内蔵されている。リフター装置４０ｆには、シートクッション部材３０の座面３０ａの全体を昇降するためのモータＭ８（図２に示す）が備えられている。また、チルト装置４０ｇには、その座面３０ａの前端を昇降するためのモータＭ９（図２に示す）が備えられている。さらに、クッション長伸縮装置４０ｈには、その座面３０ａを前後方向に伸縮するためのモータＭ１０（図２に示す）が備えられている。
【００２２】
シートクッション部材３０の下面には、シートスライド装置４０ｉが設けられている。シートスライド装置４０ｉには、シートクッション部材３０を前後に摺動するためのモータＭ１１（図２に示す）が備えられている。
【００２３】
以上のように、例えば、ヘッドレスト装置４０ａ、中折れ装置４０ｂ、ランバーポート装置４０ｃ、サイドサポート装置４０ｄ、リクライニング装置４０ｅ、リフター装置４０ｆ、チルト装置４０ｇ、クッション長伸縮装置４０ｈ、シートスライド装置４０ｉが可動装置であり、それら可動装置には上述したモータＭ１〜１１が備えられている。そして、そのモータＭ１〜１１が作動することによって、上述した各可動装置が駆動されるようになっている。
【００２４】
なお、上述したように、可動装置は上述したヘッドレスト装置４０ａ等に限定されず、また、ヘッドレスト装置４０ａ等に備えられるモータＭ１等も上述したものに限定されない。
【００２５】
このようなシート装置は、例えば、図示しない車室内に備えられ、上述した各モータＭ１〜Ｍ１１は、図３に示すスイッチ５によって操作されることとなる。スイッチ５は、図１に示すようにシート装置のシートクッション部材３０の側面に取り付けられているだけでなく、例えば、車室内において、図示しないドアやセンターコンソール等に備えられていても良い。そして、スイッチ５は、図示しない制御装置に繋がっており、制御装置に上述した各モータ（例えば、Ｍ１〜Ｍ６）が繋がっている。このような制御装置では、パルス幅変調方式（以下、ＰＷＭとする。）によって、各モータＭ１〜１１の作動を制御している。
【００２６】
図３に示すように、シート装置に備えられたスイッチ５は、例えば、円形状のものであり、左右方向、上下方向、左右の回転方向に２段階で移動できるようになっている。
【００２７】
以下に、スイッチ５を操作した際に作動されるモータと駆動される可動装置との一例を説明する。
【００２８】
例えば、スイッチ５を左右方向に１段階Ａ移動させることにより、クッション長伸縮装置４０ｈ（図２に示す）のモータＭ１０（図２に示す）を作動させることができる。そして、モータＭ１０の作動によってクッション長伸縮装置４０ｈを駆動させることとなり、図１に示すシートクッション部材３０を前後に伸縮させることとなる。また、図３に示すスイッチ５を左右方向に２段階Ｂ移動させることにより、図１に示すシートスライド装置４０ｉのモータＭ１１（図２に示す）を作動させることができる。そして、モータＭ１１の作動によってシートスライド装置４０ｉを駆動させることとなり、シートクッション部材３０を前後に摺動させることとなる。
【００２９】
また、図３に示すスイッチ５を上下方向に１段階移動させることにより、チルト装置４０ｇ（図２に示す）のモータＭ９（図２に示す）を作動させることができる。そして、モータＭ９の作動によってチルト装置４０ｇを駆動させることとなり、図１に示すシートクッション部材３０の座面３０ａの前端を昇降させることなる。また、図３に示すスイッチ５を上下方向に２段階移動させることにより、リフター装置４０ｆ（図２に示す）のモータＭ８（図２に示す）を作動させることができる。そして、モータＭ８の作動によってリフター装置４０ｆを駆動させることとなり、図１に示すシートクッション部材３０の座面３０ａの全体を昇降させることとなる。
【００３０】
さらに、図３に示すスイッチ５を左右の回転方向に１段階移動させることにより、中折れ装置４０ｂ（図２に示す）のモータＭ３（図２に示す）を作動させることができる。そして、モータＭ３の作動によって中折れ装置４０ｂを駆動させることとなり、図１に示すシートバック部材２０の上端側を中折れさせることとなる。また、図３に示すスイッチ５を左右の回転方向に２段階移動させることにより、図１に示すリクライニング装置４０ｅのモータＭ７（図２に示す）を作動させることができる。そして、モータＭ１１の作動によってリクライニング装置４０ｅを駆動させることとなり、図１に示すシートバック部材２０の全体を前後に傾動させることとなる。
【００３１】
このように、図３に示す１つのスイッチ５の移動量に基づいて作動させるモータＭ１０、Ｍ１１、Ｍ９、Ｍ８、Ｍ３、Ｍ７（図２に示す）を選択することとなり、例えば、上述した６種類の可動装置４０ｈ、４０ｉ、４０ｇ、４０ｆ、４０ｂ、４０ｅ（図２に示す）の駆動を選択することができる。また、１つのスイッチ５の移動方向によって、選択されたモータＭ１０、Ｍ１１、Ｍ９、Ｍ８、Ｍ３、Ｍ７の回転方向を決定することとなり、例えば、上述した６種類の可動装置４０ｈ、４０ｉ、４０ｇ、４０ｆ、４０ｂ、４０ｅの駆動方向を決定することができる。
【００３２】
以上のように、実施形態のシート装置において、スイッチ５を増やしたり、別の切り換えスイッチを備えたりすれば、上述した全ての可動装置４０ａ〜ｉの駆動を選択することができる。
【００３３】
また、スイッチ５は、上述した形状にかかわらず、例えば、図４に示すような四角形状のものや、図５に示す菱形形状のもの等、さまざまな形状のものを採用することができる。
【００３４】
ここで、図５に示す菱形形状のものをスイッチ５とすれば、左右方向、上下方向、左右の回転方向、右側斜め上及び左側斜め下方向、左側斜め上及び右側斜め下方向に分けて移動方向を決めることが容易となる。そして、各方向でスイッチ５が２段階で移動できるようになっておれば、左右方向、上下方向、左右の回転方向、右側斜め上及び左側斜め下方向、左側斜め上及び右側斜め下方向で各２種類の可動装置を選択することができる。このため、合計で１０種類の可動装置を選択することができる。こうであれば、図２に示すように、１つのスイッチ５によって、上述したヘッドレスト装置４０ａ、中折れ装置４０ｂ、ランバーポート装置４０ｃ、サイドサポート装置４０ｄ、リクライニング装置４０ｅ、リフター装置４０ｆ、チルト装置４０ｇ、クッション長伸縮装置４０ｈ、シートスライド装置４０ｉの全ての可動装置を駆動させることが可能である。また、上述では説明しなかった可動装置（例えば、オットマン装置等）がシート装置に備えられていたとしても、上述したスイッチ５で駆動させることが可能となる。なお、スイッチ５は複数段階に移動量を変更することも可能である。
【００３５】
なお、所定のモータＭ１〜１１がＰＷＭにより制御されておれば、そのモータＭ１〜１１をスロースタートさせることができる。このため、複数段階の移動途中におけるスイッチ５に基づいて、モータＭ１〜１１の瞬間的な作動や停止を抑制することができる。こうして、モータＭ１〜１１を瞬時に作動させたり停止させたりすることを抑制すれば、可動装置４０ａ〜ｉを瞬時に可動させたり停止させたりすることによる故障の原因を低減することができる。
【００３６】
特に、スイッチ５が複数段階（又は２段階）で移動する際、スイッチ５の移動途中において、非選択のモータの作動が制御装置のＰＷＭによって制御されておれば、非選択のモータの作動をスロースタートさせるように抑制することができる。この際、選択されたモータの作動については、ＰＷＭによる制御が解除されるようになっている。つまり、複数段階（又は２段階）の位置にスイッチ５を移動させる際、スイッチ５の移動途中の各段階において、非選択のモータの瞬間的な作動を防止することできる。このため、瞬時にモータを作動させたり停止させたりする際に起きる振動が発生し難くなるため、使用者に与える不快感を低減することができる。そして、選択されたモータのみが瞬時に作動することとなる。
【００３７】
以上のようにして構成されるシート装置では、スイッチ５の移動量によって、作動されるモータＭ１〜１１を選択している。このため、少ない数のスイッチ５であっても、移動量を変化させれば、作動可能なモータＭ１〜１１の数を増やすことができる。また、スイッチ５の移動方向によって、選択されたモータＭ１〜１１の回転方向を選択している。このため、少ない数のスイッチ５であっても、移動方向を変化させれば、モータＭ１〜１１の回転方向を決定することができる。このような選択によって作動されるモータＭ１〜１１に基づいて可動装置４０ａ〜ｉを駆動することにより、シート装置を使用者の好みの状態にすることができる。つまり、少ない数のスイッチ５で、シート装置の可動装置４０ａ〜ｉを駆動させることがでるため、操作が複雑化することなく、使用者が操作し易くなる。
【００３８】
したがって、実施形態のシート装置であれば、容易に使用者の好みに応じた状態に操作することができる。
【００３９】
また、スイッチ５の移動量を複数段階で調整可能とすれば、多数のモータの作動及びその回転を選択することができる。このため、このように選択肢を増やしてモータを作動させることにより、モータの作動に基づいて駆動する可動装置を一層増やすことができる。
【図面の簡単な説明】
【００４０】
【図１】実施形態に係わり、シート装置の全体斜視図である。
【図２】実施形態に係わり、モータ、可動装置及びスイッチのブロック図である。
【図３】実施形態に係わり、シート装置のスイッチの拡大正面図である。
【図４】実施形態に係わり、他のスイッチの拡大正面図である。
【図５】実施形態に係わり、他のスイッチの拡大正面図である。
【符号の説明】
【００４１】
Ｍ１〜１１…モータ
４０ａ〜ｉ…可動装置（４０ａ…ヘッドレスト装置、４０ｂ…中折れ装置、４０ｃ…ランバーサポート装置、４０ｄ…サイドサポート装置、４０ｅ…リクライニング装置、４０ｆ…リフター装置、４０ｇ…チルト装置、４０ｈ…クッション長伸縮装置、４０ｉ…シートスライド装置）
５…スイッチ
【図１】
2005313696.tif 000003
【図２】
2005313696.tif 000004
【図３】
2005313696.tif 000005
【図４】
2005313696.tif 000006
【図５】
2005313696.tif 000007